(57)【特許請求の範囲】
【請求項１】
吸気用の電動ファンと、
吸引胴により形成され前記電動ファンによって吸気される吸気室と、
該吸気室に外部から連通接続されメダルを吸引するための吸引ホースと、
前記吸引胴の上端から前記吸引室内に垂下配置され前記吸引ホースの吐出口と前記電動ファンとの間に介設された袋状の集塵用フィルタと、
前記吸引胴の内側と前記吸引室内の集塵用フィルタの外側との間に着脱自在に配置され前記吸引ホースの吐出口が内側に連通した回収容器と、
前記回収容器の上部内側に突設された回収容器の取手として利用される上スペーサ部とよりなり、
前記上スペーサ部を、前記集塵用フィルタの外周囲で前記吐出口の上部に配置し、前記集塵用フィルタの外周囲且つ前記吐出口の下部で前記回収容器の内側に下スペーサ部を突設したことを特徴とするメダル回収機。
【請求項２】
請求項１記載のメダル回収機であって、
前記吸引室は、縦型の有底筒状の吸引胴で形成され、
前記電動ファンは、前記吸引胴の上部に取り付けられ、
前記回収容器は、縦型の有底筒状に形成されたことを特徴とするメダル回収機。
【請求項３】
請求項１記載のメダル回収機であって、
前記回収容器は、金属網で形成されていることを特徴とするメダル回収機。
【発明の詳細な説明】
【０００１】
【発明の属する技術分野】
本発明は、メダル等を用いたゲーム機において、機内にこぼれるなどして散乱したメダルを回収するためなどに供するチップ回収機に関する。
【０００２】
【従来の技術】
従来より、メダルを用いたゲーム機が使用されている（特開平１０−８０５７２号公報、特開平１０−１０８９７７号公報参照）。
【０００３】
このようなゲーム機では、遊戯者が投入口からメダルを投入してゲームを行い、成功した場合に払い出しホッパーから適数枚のメダルが払い出され、取り出し口から遊技者が取り出すようにしたものである。かかるゲーム機においては、何らかの理由でメダルが払い出しホッパー外へ飛び出し、ゲーム機内部に散乱することがある。また、取り出し口から取り出されるメダルが、床に散乱することもある。さらに、メダルがゲーム機の前記ホッパーやメダル計数機などのホッパー内に多数残存することもある。このような場合に、従来ではゲーム機の管理者がメダルをかき集めて人手により回収するようにしていた。
【０００４】
【発明が解決しようとする課題】
しかしながら、ゲーム機の内部に散乱したメダル等を、かき集めて回収するのは極めて困難な作業となっていた。又、床などに散乱するメダルを回収する場合にも、広範囲に散乱した多数のメダルを回収ことが極めて煩雑なものとなっていた。
【０００５】
本発明は、ゲーム機内部や床などに散乱したメダルなどのチップの回収を容易に行うことのできるチップ回収機の提供を課題とする。
【０００６】
【課題を解決するための手段】
請求項１の発明は、吸気用の電動ファンと、吸引胴により形成され前記電動ファンによって吸気される吸気室と、該吸気室に外部から連通接続されメダルを吸引するための吸引ホースと、前記吸引胴の上端から前記吸引室内に垂下配置され前記吸引ホースの吐出口と前記電動ファンとの間に介設された袋状の集塵用フィルタと、前記吸引胴の内側と前記吸引室内の集塵用フィルタの外側との間に着脱自在に配置され前記吸引ホースの吐出口が内側に連通した回収容器と、前記回収容器の上部内側に突設された回収容器の取手として利用される上スペーサ部とよりなり、前記上スペーサ部を、前記集塵用フィルタの外周囲で前記吐出口の上部に配置し、前記集塵用フィルタの外周囲且つ前記吐出口の下部で前記回収容器の内側に下スペーサ部を突設したことを特徴とする。
【０００７】
請求項２の発明は、請求項１記載のメダル回収機であって、前記吸引室は、縦型の有底筒状の吸引胴で形成され、前記電動ファンは、前記吸引胴の上部に取り付けられ、前記回収容器は、縦型の有底筒状に形成されたことを特徴とする。
【０００８】
請求項３の発明は、請求項１記載のメダル回収機であって、前記回収容器は、金属網で形成されていることを特徴とする。
【００１１】
請求項１の発明では、電動ファンの稼動によって吸引室の空気が吸気されると、これに連通する吸引ホースに吸引力が働く。この吸引ホースによって散乱しているメダルを吸引すると、メダルはゴミなどと共に吸引ホース内へ吸引され、その吐出口から吸引室側へ吐出されることになる。吸引ホースの吐出口は、回収容器の内側に連通しているため、メダルは回収容器の内側に吐き出されることになる。このメダルは一般に一緒に吸引されたゴミよりも大きく、重量があり、回収容器の底部側に落下する。一方、吐出口から吸引室内へ吐出された空気は、集塵用フィルタを通過して電動ファン側へ吸引され、塵などの小さなゴミは集塵用フィルタで濾過されることになる。そして、回収容器の底部側に溜まったメダルは、回収容器を吸引室から取り出すことによって極めて容易に回収することができる。また、前記回収容器は、前記回収容器の上部内側に突設された回収容器の取手として利用される上スペーサ部を、前記集塵用フィルタの外周囲で前記吐出口の上部に配置し、前記集塵用フィルタの外周囲且つ前記吐出口の下部で前記回収容器の内側に下スペーサ部を突設したため、吸引ホースの吐出口から吐き出されたメダルを回収容器の底部側へ確実に落下させ回収することができると共に、上スペーサ部を取手として利用し回収容器を取り出すとき上スペーサ部をもって取り出すことができる。
【００１２】
請求項２の発明では、請求項１の発明の効果に加え、吸引室は縦型の有底筒状の吸引胴で形成され、吸引ファンは吸引胴の上部に取り付けられ、集塵用フィルタは吸引胴の上端部に支持されて吸引室内に垂下配置された袋状に形成され、回収容器は縦型の有底筒状に形成されたため、回収容器の内側に吐き出されたチップを回収容器の縦型の有底筒状の底部に極めて容易に集めることができる。又、回収容器が縦型の有底筒状であるため、比較的多くのチップを回収することができる。
【００１３】
請求項３の発明では、請求項１の発明の効果に加え、回収容器は金属網で形成されているため、網目よりも小さな小石などは回収容器内に溜まることはなく、また溜まったとしても回収容器を取り出して手振るいすることで小石などを網目から落下させることができ、チップのみを確実に回収することができる。
【００１６】
【発明の実施の形態】
図１は本発明の一実施形態に係るチップ回収機の断面図を示している。この図１のように、チップ回収機は、電動ファン１と、吸引室３と、吸引ホース５と、集塵フィルタ７と、回収容器９とから概ね構成されている。
【００１７】
前記電動ファン１は、電動モータによって駆動される吸引ファンを備えており、その下部に結合用のフランジ１１が全周に設けられている。前記吸引室３は、前記電動ファン１の吸引によって吸気されるものであり、本実施形態において縦型の有底筒状の吸引胴１３によって形成されている。吸引胴１３は、側壁１５が金属で形成され、底壁１７が樹脂によって形成されている。側壁１５の上部には、前記電動ファン１１のフランジ１１に対向するフランジ１９が設けられている。フランジ１９の下側には、ロック２１が設けられている。ロック２１は側壁１５の周方向に所定間隔で複数設けられている。そして、前記フランジ１９の上側に、前記電動ファン１のフランジ１１が配置され、前記ロック２１によって着脱自在に取り付けられ、電動ファン１が吸引胴１３の上部に取り付けられた構成となっている。
【００１８】
前記側壁１５の上部側には、接続口２３が設けられ、前記吸引ホース５が着脱自在に取り付けられている。前記吸引ホース５の吐出口２５は、吸引室３内へ臨んでいる。前記底壁１７は、樹脂によって形成され、前記側壁１５に一体に結合されている。底壁１７の下側には、複数個のキャスタ２７が取り付けられている。
【００１９】
前記集塵用フィルタ７は、前記吸引室３内に配置され、吸引ホース５の吐出口２５と前記電動ファン１との間に介設されたものである。具体的には、集塵用フィルタ７は布などによって袋状に形成され、その上端全周にゴム部２９が設けられている。ゴム部２９は、前記吸引胴１３のフランジ１９と、電動ファン１のフランジ１１との間に挟持され、両フランジ１１，１９間をシールする構造となっている。すなわち集塵用フィルタ７は、吸引胴１３の上端部に支持されて、吸引室３内に垂下配置された構造となっている。
【００２０】
前記回収容器９は、前記吸引室３内の集塵用フィルタ７の外側に着脱自在に配置され、前記吸引ホース５の吐出口２５が内側に連通した構成となっている。具体的には、回収容器９は縦型の有底筒状に形成されている。
【００２１】
前記回収容器９を図２〜図５を用いてさらに説明する。図２は電動ファン１を取り外した状態の斜視図、図３は回収容器９の断面図、図４は回収容器９、集塵用フィルタ７、及び電動ファン１を吸引胴１３から取り外した状態の斜視図、図５は要部の拡大斜視図である。
【００２２】
まず図２〜図４のように、回収容器９はリング状のフレーム３１，３３，３５を備え、該リング状のフレーム３１，３３，３５を縦方向に結合する縦フレーム３７を備えている。縦フレーム３７はリング状のフレーム３１，３３，３５の周方向に所定間隔で複数本設けられている。また、底部側には小径のリング状のフレーム３９が備えられ、このフレーム３９とフレーム３５とを結合する底部側のフレーム４１が備えられている。底部側のフレーム４１は、周方向に所定間隔で複数本設けられている。
【００２３】
そしてこれらフレーム３１，３３，３５，３７，３９，４１を骨格として、金属網４３が取り付けられ、縦型の有底筒状に形成されている。又、回収容器９の上端内側には、スペーサ部４５が突設されている。又、回収容器９の下部側にもスペーサ部４７が内側へ突設されている。スペーサ部４５，４７は、少なくとも前記吸引ホース５の吐出口２５と集塵用フィルタ７との間隔を保持するためのもので、本実施形態においては周方向に複数設けられ、吸引胴９と集塵用フィルタ７との間が略全周で間隔保持されている。従って後述するように、チップとしてのゲーム用のメダル４９が回収容器９の底部側へ落下しやすいようになっている。
【００２４】
又、回収容器９には、図４，図５のように、前記吸引胴１３の接続口２３に対向して一部金網４３が取り除かれ、開口５０となっている。従って、この開口５０から吸引ホース５の吐出口２５が回収容器９の内側に連通する構成となっている。
【００２５】
次に作用を説明する。
【００２６】
スイッチをオンにすると、電動ファン１が稼働し、吸引室３内の空気が吸引されることになる。これによって吸引ホース５に吸引力が働き、ゲーム機内部などに散乱したメダルを吸引ホース５によって吸い取ることができる。吸い取られたメダルは、塵などと共に吸引ホース５の吐出口２５から吸引室３側へ吐き出されることになる。こうして吸引された空気は、集塵用フィルタ７を通過して吸引され、細かな塵芥は集塵用フィルタ７によって濾過されることになる。
【００２７】
又、メダル４９は大きく、また重量があるため、吐出口２５から吐き出されると、集塵用フィルタ７と回収容器９との間の間隔内を下方へ落下し、底部側に集められることになる。このときスペーサ部４５，４７の存在によって、吸引ホース５の吐出口２５と集塵用フィルタ７との間、及び集塵フィルタ７と回収容器９との間の間隔が保持されているため、メダル４９は吐出口２５から集塵容器２５の底部側へ極めて容易に落下することができる。
【００２８】
又、吸引ホース５によって共に吸引された小石などは、金属網４３の網目から通過して回収容器９上に溜まることがない。
【００２９】
このようにしてメダル４９が回収容器９内に溜まったとき、ロック２１を外して、電動ファン１及び集塵用フィルタ７を取り外すと、図２のような状態となる。この状態で上端のスペーサ部４５を取手として利用し、回収容器９を上方に引き上げれば、吸引胴１３から容易に取り外すことができる。
【００３０】
こうして回収容器９内にメダル４９を極めて容易に集め、これを回収することができる。又、このとき小石などが回収容器４９内に残っていれば、これを手振るいなどすることによって、金属網４３の網目から容易に落下させることができ、メダル４９のみを確実に回収することができる。従って、ゲーム機内部などに散乱したメダル、ホッパー内に残存したメダル、更には床に散乱したメダル等を極めて容易に回収することができる。
【００３１】
尚、上記実施形態では回収容器９を、金属網４３を主体として形成したが、金属網に限らず多孔の回収容器で構成することができる。又、回収容器９に穴を設けずに、金属製の容器あるいは樹脂製の容器などで構成することもできる。又、全体的に縦型の構造としたが、その形式は限定されるものではなく、横型などの構造にすることもできる。又、チップとしてはメダルに限らず、パチンコ玉にも適用することができ、さらには、ゲーム用以外のチップの回収にも適用することができる。
【図面の簡単な説明】
【図１】本発明の一実施形態に係る断面図である。
【図２】一実施形態に係り、電動ファン及び集塵用フィルタを取り外した状態の斜視図である。
【図３】一実施形態に係り、回収容器の断面図である。
【図４】一実施形態に係り、吸引胴を取り外した状態の斜視図である。
【図５】一実施形態に係り、要部の斜視図である。
【符号の説明】
１  電動ファン
３  吸引室
５  吸引ホース
７  集塵用フィルタ
９  回収容器
１３  吸引胴
２５  吐出口
４３  金属網
４５，４７  スペーサ部
【図１】
0003813051.tif 000002
【図２】
0003813051.tif 000003
【図３】
0003813051.tif 000004
【図４】
0003813051.tif 000005
【図５】
0003813051.tif 000006